(57)【要約】【課題】  主幹ブレーカの電気量を許容範囲に抑制して全停電を回避するとともに、負荷機器の運転をできるだけ継続すること。【解決手段】  主幹ブレーカの二次側に接続された分岐ブレーカから電力の供給を受けるヒートポンプ式給湯システムにおいて、主幹ブレーカに流れる電流に相関する電気量を検出し、この電気量の検出値が許容値を超えないように、主幹ブレーカの二次側に接続された分岐ブレーカまたは他の分岐ブレーカから電力の供給を受ける他の負荷機器の消費電力を制限する制御手段を設けるようにする。【選択図】    図１
2006017434.tif 000002
【特許請求の範囲】
【請求項１】
主幹ブレーカの二次側に接続された分岐ブレーカから電力の供給を受けるヒートポンプ式給湯システムにおいて、
前記主幹ブレーカに流れる電流に相関する電気量を検出し、該電気量の検出値が許容値を超えないように、前記主幹ブレーカの二次側に接続された前記分岐ブレーカまたは他の分岐ブレーカから電力の供給を受ける他の負荷機器の消費電力を制限する制御手段を設けたことを特徴とするヒートポンプ式給湯システム。
【請求項２】
前記制御手段は、前記許容値に対する前記検出値の割合に応じて、他の負荷機器の消費電力を制限することを特徴とする請求項１に記載のヒートポンプ式給湯システム。
【請求項３】
前記制御手段は、前記許容値を設定する許容値設定手段と、該設定された許容値に基づいて前記主幹ブレーカに流れる前記電気量の設定値を設定する設定値設定手段とを備え、前記電気量の検出値が前記設定値に達したとき、前記他の負荷機器の消費電力を制限することを特徴とする請求項１または２に記載のヒートポンプ式給湯システム。
【請求項４】
前記設定値は、段階的に複数設定することを特徴とする請求項１乃至３のいずれかに記載のヒートポンプ式給湯システム。
【請求項５】
前記他の負荷機器は、ルームエアコンであることを特徴とする請求項１乃至４のいずれかに記載のヒートポンプ式給湯システム。
【請求項６】
前記他の負荷機器は、ルームエアコンの他に、床暖房機および浴室乾燥機の少なくとも一つを含むことを特徴とする請求項５に記載のヒートポンプ式給湯システム。
【請求項７】
主幹ブレーカの二次側に接続された分岐ブレーカから電力の供給を受けるヒートポンプを備えたヒートポンプ式給湯システムにおいて、
前記ヒートポンプを循環する冷媒により所定温度に沸き上げた湯を貯湯する貯湯槽と、前記主幹ブレーカに流れる電流に相関する電気量の検出値が該電気量の許容値に基づいて決められる設定値に達したとき、前記ヒートポンプによる給湯に代えて前記貯湯槽の湯を出湯させるように制御する制御手段とを設けたことを特徴とするヒートポンプ式給湯システム。
【請求項８】
前記制御手段は、前記貯湯槽による出湯から前記ヒートポンプによる出湯に切替えた後、前記検出値が前記設定値に達したとき、前記主幹ブレーカの二次側に接続された前記分岐ブレーカまたは他の分岐ブレーカから電力の供給を受ける他の負荷機器の消費電力を制限してなる請求項７に記載のヒートポンプ式給湯システム。
【発明の詳細な説明】
【技術分野】
【０００１】
本発明は、負荷設備を備えたヒートポンプ式給湯システムに関する。
【背景技術】
【０００２】
従来、主幹ブレーカの遮断による全停電を抑制するため、主幹ブレーカに流れる電流に相関する電気量（例えば、電流や皮相電力）を監視し、この電気量が許容値を超えたときに、優先順位にしたがって分岐ブレーカに接続された負荷機器への通電を停止させることが行われている（例えば、特許文献１参照。）。
【０００３】
【特許文献１】特開平１１−１２２８０１号公報
【発明の開示】
【発明が解決しようとする課題】
【０００４】
しかしながら、このような方法によれば、例えば、全電化住宅において負荷機器となる電化機器の一部がピーク電力を消費して、主幹ブレーカの電気量が許容値を超えたときに、特定の分岐ブレーカに接続される電化機器への通電が遮断されるため、この遮断された電化機器が使用できなくなってしまうという問題がある。
【０００５】
特に、消費電力が大きいヒートポンプ式給湯機を設けた場合、他の電化機器を全て運転停止して使用できなくなる状態は好ましくない。また、主幹ブレーカの許容値に余裕があれば、できるだけ運転を継続したい電化機器がある。
【０００６】
本発明は、主幹ブレーカの電気量を許容範囲に抑制して全停電を回避するとともに、負荷機器の運転をできるだけ継続することを課題とする。
【課題を解決するための手段】
【０００７】
上記課題を解決するため、本発明は、主幹ブレーカの二次側に接続された分岐ブレーカから電力の供給を受けるヒートポンプ式給湯システムにおいて、主幹ブレーカに流れる電流に相関する電気量を検出し、この電気量の検出値が許容値を超えないように、主幹ブレーカの二次側に接続された分岐ブレーカまたは他の分岐ブレーカから電力の供給を受ける他の負荷機器の消費電力を制限する制御手段を設けたことを特徴とする。
【０００８】
すなわち、主幹ブレーカに流れる電気量の検出値に基づいて、ヒートポンプの運転を継続するとともに、他の負荷機器の消費電力を低減させることにより、主幹ブレーカに流れる電気量を許容範囲に抑え、さらに可能な限り他の負荷機器の運転停止を回避することができる。この結果、所望の負荷機器を一定能力で運転させるとともに、ヒートポンプ給湯機による給湯を継続的に行うことができる。
【０００９】
この場合において、制御手段は、電気量の許容値に対する検出値の割合に応じて、他の負荷機器の消費電力の制限量を制御することが好ましい。具体的に、制御手段は、許容値を設定する許容値設定手段と、この設定された許容値に基づいて主幹ブレーカに流れる電気量の設定値を設定する設定値設定手段とを備え、電気量の検出値が設定値に達したとき、他の負荷機器の消費電力を予め設定した制限量に制御するようにする。ここで、設定値は、段階的に複数設定することが好ましい。
【００１０】
なお、できるだけ運転継続したい他の負荷機器としては、ルームエアコンをあげることができる。また、許容値からヒートポンプの消費電力を差し引いた電力量に応じて、他の負荷機器の制限量を決定するようにしてもよい。また、床暖房機及び浴室乾燥機の少なくとも一つを含むようにしてもよい。
【００１１】
さらに、ヒートポンプを循環する冷媒により所定温度に沸き上げた湯を貯湯する貯湯槽を備えたヒートポンプ給湯システムの場合は、主幹ブレーカに流れる電流に相関する電気量の検出値がこの電気量の許容値に基づいて決められる設定値に達したとき、ヒートポンプによる給湯に代えて貯湯槽から給湯させるように制御する制御手段を設けてもよい。
【００１２】
すなわち、主幹ブレーカに流れる電気量が上昇して設定値に達したとき、消費電力の大きいヒートポンプに代えて、予め貯留された貯湯槽の湯を出湯させるモードに切替える制御を行うことにより、主幹ブレーカにおける電気量を許容範囲に抑えると共に、給湯器による出湯状態の変化を抑えることができる。また、これによれば、運転を継続できる他の負荷機器を増やすことができる。
【００１３】
なお、貯湯槽による出湯からヒートポンプによる出湯に切替えた後、検出値が設定値に達したとき、主幹ブレーカの二次側に接続された分岐ブレーカまたは他の分岐ブレーカから電力の供給を受ける他の負荷機器の消費電力を制限するようにすることができる。
【発明の効果】
【００１４】
本発明によれば、主幹ブレーカの電気量を許容範囲に抑制して全停電を回避するとともに、負荷機器の運転をできるだけ継続することができる。
【発明を実施するための最良の形態】
【００１５】
以下、本発明の第１の実施の形態を図面に基づいて説明する。図１は本発明を適用してなるヒートポンプ式給湯機システム及びその周辺機器の第１の実施形態の構成を示す図である。
【００１６】
図に示すように、周辺機器は、単相３線式系統電源に接続される主幹ブレーカ１と、主幹ブレーカ１を流れる電流に相関する電気量（電流もしくは皮相電力）を検出する検出手段２ａ，２ｂと、主幹ブレーカ１の２次側に接続される分岐ブレーカ３ａ，３ｂと、分岐ブレーカ３ａ，３ｂに接続されるルームエアコン１３ａ，１３ｂと、ルームエアコン１３ａ，１３ｂの消費電力を制御するとともに分岐ブレーカ３ａ，３ｂの電流に相関する電気量（電流もしくは皮相電力）を検出する制御検出手段４ａ，４ｂと、床暖房機１１を制御する床暖房機制御手段９と、浴室乾燥機１２を制御する浴室乾燥機制御手段１０とを備えて構成される。
【００１７】
一方、本実施形態のヒートポンプ式給湯システム５は、主幹ブレーカ１の２次側に接続される分岐ブレーカ３ｃと、給湯システムマイコン６と、主幹ブレーカの電流に相関する電気量の許容値を設定する許容値設定手段７と、ヒートポンプ式給湯機８とを備えて構成される。
【００１８】
分岐ブレーカ３ｃには、ヒートポンプ式給湯機８が接続される一方、床暖房機制御手段９及び浴室乾燥機制御手段１０が接続されている。すなわち、分岐ブレーカ３ｃを流れる電流は、それぞれの負荷機器の消費電力の大きさに応じて分配されるようになっている。検出手段２ａ，２ｂ及び制御検出手段４ａ，４ｂは、いずれも給湯システムマイコン６と接続され、それぞれの検出手段において検出された電流もしくは皮相電力は、給湯システムマイコン６に入力されるようになっている。給湯システムマイコン６は、床暖房機制御手段９、浴室乾燥機制御手段１０及び制御検出手段４ａ，４ｂとそれぞれ接続され、給湯システムマイコン６から送信される指令に基づいて、それぞれの負荷機器の消費電力が制御されるようになっている。
【００１９】
次に、図１のヒートポンプ式給湯機８について図２を用いて詳細に説明する。図２は、ヒートポンプ式給湯機８の一例を示す構成図である。図に示すように、ヒートポンプ式給湯機８は、ヒートポンプサイクル２１と、貯湯槽２２と、ポンプ２３とを備えて構成される。ヒートポンプサイクル２１は、例えば、蒸発器、膨張弁、熱交換器、圧縮機を順次配管接続した閉回路で構成され、この閉回路内に冷媒が封入されている。貯湯槽２２内に貯留される水は、ポンプ２３により貯湯槽２２の底部から抜き出されてヒートポンプサイクル２１の熱交換器に導かれる。ここにおいて加熱されて生成された湯は、弁２８を閉じた状態で、給湯管２５を通じて弁２６、２７を経由し、貯湯槽２２の頂部に供給される。これにより、循環流路が形成され、貯湯槽２２内に所定温度の湯が貯留されるようになっている。一方、給水管２４を通じて水道等の水源から供給された水は、熱交換器において加熱され、弁２７が閉じた状態で、出湯管２５を通じて弁２６、２８を経由し、蛇口等から出湯されるようになっている。本実施形態によれば、ヒートポンプサイクル２１により加熱された湯を直接出湯させないときは、貯湯槽２２の追焚きを行い、所定温度の湯を貯留しておくことができる。
【００２０】
次に、本実施形態の動作について図３を用いて説明する。図３は、ヒートポンプ式給湯機、ルームエアコン１３、床暖房機１１及び浴室乾燥機１２において、それぞれの電流もしくは皮相電力が、横軸の時間経過とともに変化する様子を示すとともに、これらの負荷機器における電流もしくは皮相電力の総和が主幹ブレーカの許容値に占める比率が時間経過とともに変化する様子を示す線図である。
【００２１】
まず、時刻ｔ０からｔ１においては、ルームエアコン１３ａ，１３ｂ（以下、１３と略す）、床暖房機１１、浴室乾燥機１２は、いずれも通常運転を行い、ヒートポンプ式給湯機８は停止している。この時のルームエアコン１３、床暖房機１１、浴室乾燥機１２の運転は安定しているため，それぞれの電流もしくは皮相電力、及びこれらの総和となる主幹ブレーカ１に流れる電流もしくは皮相電力は、ほぼ一定となっている。
【００２２】
ここで、時刻ｔ１においてヒートポンプ式給湯機８が運転を開始すると、ヒートポンプ式給湯機８に流れる電流もしくは皮相電力は図示するように増加し、これに伴い、主幹ブレーカ１に流れる電流もしくは皮相電力も図示するように増加する。一方、給湯システムマイコン６は、許容値設定手段７により定められた許容値から、主幹ブレーカ１の設定値をそれぞれ例えば１００％，９５％，９０％，８０％のように、予め設定しておく。そして、給湯システムマイコン６は、ヒートポンプ式給湯機８が運転を開始した後、主幹ブレーカ１に流れる電流もしくは皮相電力を検出手段２ａ，２ｂ（以下、２と略す。）から検出し、主幹ブレーカ１に流れる電流もしくは皮相電力が先に決定した設定値８０％に達したとき、ルームエアコン１３、床暖房機１１及び浴室乾燥機１２の運転を、消費電力が小さくなるように、制御検出手段４、床暖房機制御手段９、浴室乾燥機制御手段１０に運転抑制信号を出力する（時刻ｔ２）。
【００２３】
ルームエアコン１３は、この運転抑制信号が入力された場合、例えば、暖房運転中であれば、設定温度を所定値分下げる等を行ない、消費電力を抑制した運転を行うようにする。また、ルームエアコン１３の設定温度を変化させるのではなく、例えば、ルームエアコン１３が有する図示しない圧縮機の回転速度を直接低下する制御を行うようにしてもよい。
【００２４】
時刻ｔ２における床暖房機１１及び浴室乾燥機１２は、給湯システムマイコン６からの運転抑制信号を受けてそれぞれ運転を停止する。なお、本実施例では床暖房機１１及び浴室乾燥機１２の運転を時刻ｔ２の時点で停止するように制御しているが、段階的にそれぞれの消費電力を抑制する運転を行ってもよい。また、本実施例では、ルームエアコン１３と床暖房機１１及び浴室乾燥機１２を時刻ｔ２において同時に運転の抑制を行っているが、各機器に優先順位を予め設定しておき、この優先順位に従って負荷制限又は停止を行うようにしてもよい。また、優先順位は予め設定をしなくても、各機器の運転状況から優先順位を給湯システムマイコン６で決定することもできる。
【００２５】
次に、時刻ｔ２の時点において、ルームエアコン１３や床暖房機１１、浴室乾燥機１２の運転を抑制したにも関わらず、図３の時刻ｔ２からｔ３、ｔ４にかけてヒートポンプ式給湯機８の消費電力が更に大きくなることで、主幹ブレーカ１に流れる電流もしくは皮相電力が上昇し、この検出値が先に給湯システムマイコン６で決定した制限値９０％に達した場合（時刻ｔ４）、給湯システムマイコン６は、制御検出手段４に更にルームエアコン１３の運転を抑制する信号を出力する。ルームエアコン１３は、この運転抑制信号が入力されると、例えば、暖房運転中であれば更に設定温度を所定値分下げる等を行い、消費電力を低下した運転を行う。また、ルームエアコン１３の設定温度を変化させるのではなく、例えば、ルームエアコン１３が有する図示しない圧縮機の回転速度を直接低下する制御を行うようにしてもよい。そして、時刻ｔ４以降、主幹ブレーカ１を流れる電流もしくは皮相電力が先に設定した制限値９０％から９５％の間で変化をする場合は、ルームエアコンは消費電力を抑制した運転を継続する。
【００２６】
図３では、時刻ｔ４からｔ６にかけて、ルームエアコン１３の消費電力の低下を行い、時刻ｔ６で安定化させ、ヒートポンプ式給湯機８は時刻ｔ５で安定運転に遷移した例としている。したがって、主幹ブレーカ１を流れる電流もしくは皮相電力は、時刻ｔ６からｔ７まで許容値９０％から９５％の間で安定した運転状態となっている。
【００２７】
上記運転後、ヒートポンプ式給湯機８の運転が停止すると、ヒートポンプ式給湯機８に流れる電流もしくは皮相電力は、図のように急激に低下をし始め（時刻ｔ７）、これに伴い、主幹ブレーカ１に流れる電流もしくは皮相電力も同様に低下する。主幹ブレーカ１を流れる電流もしくは皮相電力が更に低下して、検出値が先に決定した設定値９０％未満になった場合、給湯システムマイコン６はルームエアコン１３の消費電力の制限を一部解除する（時刻ｔ８）。
【００２８】
次に、ルームエアコン１３の消費電力の上昇分と比べてヒートポンプ式給湯機８の消費電力の低下分が大きく、主幹ブレーカ１を流れる電流もしくは皮相電力が更に低下し、主幹ブレーカ１に流れる電流もしくは皮相電力が先に決定した設定値８０％未満になった場合、給湯システムマイコン６はルームエアコン１３の電力抑制運転を解除する信号を制御検出手段４に出力し、ルームエアコン１３は通常運転に復帰する。また、これと同時に、給湯システムマイコン６は運転を停止していた床暖房機１１、浴室乾燥機１２の運転を再開するように、抑制運転（運転停止）を解除する信号を床暖房機制御手段９、浴室乾燥機制御手段１０に出力する（時刻ｔ１０）。
【００２９】
ここで、図３では、ルームエアコン１３の通常運転復帰と床暖房機１１、浴室乾燥機１２の運転再開を同時刻ｔ１０で行っているが、各機器に優先順位を設けて運転の復帰を優先順位に従って行うようにしてもよい。更にこの優先順位は予め定めていてもよいし、また、ルームエアコン１３や床暖房機１１、浴室乾燥機１２における運転状況や周辺環境情報等に基づいて各機器の運転の優先性を給湯システムマイコン６が決定するようにしてもよい。
【００３０】
以上述べたように、給湯システムマイコン６が主幹ブレーカ１に流れる電流もしくは皮相電力、ヒートポンプ式給湯機８、床暖房機１１、浴室乾燥機１２及びルームエアコン１３のそれぞれの電流もしくは皮相電力を監視して、主幹ブレーカ１に流れる電流もしくは皮相電力に応じてルームエアコン１３や床暖房機１１、浴室乾燥機１２の運転を制御することにより、ヒートポンプ式給湯機８の運転を優先させるとともに、主幹ブレーカ１に流れる電流もしくは皮相電力が主幹ブレーカ１の許容値を超えることを抑制し、主幹ブレーカ１に接続されている各負荷機器の運転停止を可能な限り回避できる。
【００３１】
ここで、床暖房機１１や浴室乾燥機１２は、ヒートポンプ給湯システムの一部となる構成が一般的であるが、例えば、本実施形態で示したように、貯湯槽２２を備えるヒートポンプ式給湯機８が出湯や貯湯を行う運転に同期させ、床暖房機１１や浴室乾燥機１２を停止させるように制御してもよい。これによれば、主幹ブレーカ１に流れる電流や皮相電力を低減できるから、床暖房機１１や浴室乾燥機１２に流れる電流や皮相電力を検出する手段を省略できる。
【００３２】
また、本実施形態では、主幹ブレーカ１に流れる電流もしくは皮相電力を１００％，９５％，９０％，８０％のように、段階的に設定値を設定しているが、特にこのような設定値に限定されるものではなく、また段階数も特に限定されるものではない。このような設定値や段階数は、ユーザーが任意に設定できるようにしてもよい。
【００３３】
なお、本実施形態において、負荷機器の抑制運転を開始する際の主幹ブレーカ１に流れる電流もしくは皮相電力の設定値と、抑制運転から復帰する際の設定値は、同じ設定値を用いているが、例えば、開始時と復帰時の設定値にヒステリシスを設け、制御の安定化を図るようにしてもよい。
【００３４】
次に、本発明が適用されてなる第２の実施形態について図４を用いて説明する。図４は、図３において、ヒートポンプ式給湯機８の貯湯槽２２の湯を優先的に使用する例を示した線図である。
【００３５】
まず、時刻ｔ０からｔ１においては、ルームエアコン１３、床暖房機１１、浴室乾燥機１２は、いずれも通常運転を行い、ヒートポンプ式給湯機８は停止している。この時、ルームエアコン１３、床暖房機１１及び浴室乾燥機１２は、安定して運転しているため、それぞれの電流もしくは皮相電力、及びこれらの総和となる主幹ブレーカ１に流れる電流もしくは皮相電力は、ほぼ一定となっている。
【００３６】
ここで、時刻ｔ１において、ヒートポンプ式給湯機８が運転を開始すると、ヒートポンプ式給湯機８に流れる電流もしくは皮相電力は図示するように増加し、これに伴い主幹ブレーカ１に流れる電流もしくは皮相電力も図示するように増加する。一方、給湯システムマイコン６は、許容値設定手段７により定められた許容値から、主幹ブレーカ１の設定値をそれぞれ例えば１００％，９５％，９０％，８０％のように予め定めておく。
【００３７】
そして、給湯システムマイコン６は、ヒートポンプ式給湯機８が運転を開始した後、主幹ブレーカ１に流れる電流もしくは皮相電力を検出手段２ａ，２ｂから検出し、主幹ブレーカ１に流れる電流もしくは皮相電力が先に決定した設定値８０％に達したとき、ヒートポンプ式給湯機８は、ヒートポンプサイクル２１の圧縮機の回転速度を低減又は停止させ、貯湯槽２２に予め貯留された所定温度の湯を用いて出湯するようにする。これによれば、例えば、消費電力の大きい圧縮器の回転数を低減もしくは停止させた分、主幹ブレーカ１に流れる電流もしくは皮相電力を低減できるから、各負荷機器の運転を継続させるとともに、ヒートポンプ式給湯機８の給湯運転を安定して行うことができる（時刻ｔ２〜ｔ４）。
【００３８】
ここで、ヒートポンプ式給湯機８が貯湯槽２２の湯を優先的に使用する運転を行う場合、貯湯槽２２の内容積や湯温、湯量、出湯温度等により時間的な制約が生じるため、給湯システムマイコン６は、この運転モードの継続の可否について予め把握しておく必要がある。このため、貯湯槽２２に、湯温及び湯量を検出するセンサを配設し、このセンサの情報に基づいて給湯システムマイコン６が上記運転モードの使用可否について判定できるようにする。なお、この運転モードの使用可否判断は、上記モードの運転前と運転中にそれぞれ判定するようにする。また、運転の状態を表すデータに基づいて給湯システムマイコン６が演算し、運転モードの運転時間を算出するようにしてもよい。
【００３９】
次に、貯湯槽２２の湯を優先的に使用する運転モードは、上述したように、継続的な使用に制約が生じるため、ユーザーの使用状況等により、この運転モードが使用できなくなる場合がある（時刻ｔ４）。この場合は、再び給湯システムマイコン６がヒートポンプサイクル２１による加熱運転で給湯を行うように運転モードを切替えるようにする。これにより、ヒートポンプ式給湯機８に流れる電流もしくは皮相電力は図示するように再び上昇し、これに伴い主幹ブレーカ１に流れる電流もしくは皮相電力も上昇して所定の設定値を超えるようになる（時刻ｔ５）。なお、時刻ｔ５以降は、図３と同様の運転動作が行われるため、その説明は省略する。
【００４０】
以上述べたように、本実施形態によれば、主幹ブレーカ１に流れる電流もしくは皮相電力の検出値に応じて、ルームエアコン１３や床暖房機１１、浴室乾燥機１２の運転を制御し、ヒートポンプ式給湯機８において貯湯槽２２の湯を優先的に用いる運転を行っているから、主幹ブレーカ１に流れる電流もしくは皮相電力が許容値を超えることを抑制するとともに、負荷機器の運転停止を可能な限り回避することができる。また、ユーザーは給湯の安定化に伴い、出湯温度や出湯量の変化等の不快感をもつことがなく、給湯運転を一層安定的に行うことができる。
【図面の簡単な説明】
【００４１】
【図１】本発明を適用してなるヒートポンプ式給湯機システム及びその周辺機器の第１の実施形態の構成を示す図である。
【図２】図１のヒートポンプ式給湯機の一例の構成を示す図である。
【図３】ヒートポンプ給湯機、ルームエアコン、床暖房機及び浴室乾燥機において、それぞれの電流もしくは皮相電力が、横軸の時間経過とともに変化する様子を示す線図、及びこれらの負荷機器における電流もしくは皮相電力の総和が主幹ブレーカの許容値に占める比率が、横軸の時間経過とともに変化する様子を示す線図である。
【図４】本発明を適用してなる第２の実施形態に係り、図３に対し、ヒートポンプ給湯機の貯湯槽の湯を優先的に使用する例を示す線図である。
【符号の説明】
【００４２】
１  主幹ブレーカ
２ａ，２ｂ  検出手段
３ａ，３ｂ  分岐ブレーカ
４ａ，４ｂ  制御検出手段
５  ヒートポンプ式給湯システム
６  給湯システム制御マイコン
７  許容値設定手段
８  ヒートポンプ式給湯機
９  床暖房機制御手段
１０  浴室乾燥機制御手段
１１  床暖房機
１２  浴室乾燥機
１３ａ，１３ｂ  ルームエアコン
【図１】
2006017434.tif 000003
【図２】
2006017434.tif 000004
【図３】
2006017434.tif 000005
【図４】
2006017434.tif 000006